【手続補正書】
【提出日】平成28年5月24日(2016.5.24)
【手続補正１】
【補正対象書類名】特許請求の範囲
【補正対象項目名】全文
【補正方法】変更
【補正の内容】
【特許請求の範囲】
【請求項１】
遠端クロストークチャネル上でトレーニングするトランシーバを識別するための方法において、
第１のトランシーバと第２のトランシーバとの間で、複数のハンドシェークメッセージを含むハンドシェークフェーズを開始することと、
前記第１のトランシーバにおいて、前記第１のトランシーバに関係付けられている一意的な識別子（ＩＤ）を発生させることと、
前記ハンドシェークメッセージのうちの１つを使用して、前記第１のトランシーバから前記第２のトランシーバに対して、前記第１のトランシーバに関係付けられている一意的なＩＤを送信することと、
前記第１のトランシーバにおいて、後続するハンドシェークメッセージを受信することと、
前記受信した後続するハンドシェークメッセージが、前記第１のトランシーバに関係付けられている一意的なＩＤを含まない場合に、前記第１のトランシーバにおいて、前記ハンドシェークフェーズを中止することとを含む方法。
【請求項２】
前記複数のハンドシェークメッセージのうちの少なくとも１つは、Ｇ．９９４．１ハンドシェーク（ｇ．ｈｓ）メッセージを含む請求項１記載の方法。
【請求項３】
前記複数のハンドシェークメッセージのうちの少なくとも１つは、モード要求／能力リストおよび要求（ＭＲ／ＣＬＲ）ｇ．ｈｓメッセージを含む請求項２記載の方法。
【請求項４】
前記複数のハンドシェークメッセージのうちの少なくとも１つは、モード選択／能力リスト（ＭＳ／ＣＬ）ｇ．ｈｓメッセージを含む請求項２記載の方法。
【請求項５】
前記受信した後続するハンドシェークメッセージは、ＭＳ／ＣＬｇ．ｈｓメッセージを含む請求項２記載の方法。
【請求項６】
前記受信した後続するハンドシェークメッセージは、肯定応答（ＡＣＫ）ｇ．ｈｓメッセージを含む請求項２記載の方法。
【請求項７】
前記１つのハンドシェークメッセージは、前記一意的なＩＤに対するフィールドを含む請求項１記載の方法。
【請求項８】
前記一意的なＩＤは、１６ビット数を含む請求項１記載の方法。
【請求項９】
前記一意的なＩＤを発生させることは、乱数を発生させることを含む請求項１記載の方法。
【請求項１０】
前記第２のトランシーバにおいて、前記第２のトランシーバに関係付けられている第２の一意的なＩＤを発生させることと、
前記ハンドシェークメッセージのうちの別の１つを使用して、前記第２のトランシーバから前記第１のトランシーバに対して、前記第２の一意的なＩＤを送信することと、
前記第２のトランシーバにおいて、後続するハンドシェークメッセージを受信することと、
前記受信した後続するハンドシェークメッセージが前記第２の一意的なＩＤを含まない場合に、前記第２のトランシーバにおいて、前記ハンドシェークフェーズを中止することとをさらに含む請求項１記載の方法。
【請求項１１】
前記ハンドシェークフェーズが中止されなかった場合に、Ｇ．ベクトル初期化のＯ−シグニチャフェーズに進行することと、
前記Ｏ−シグニチャフェーズの間に、前記第１のトランシーバから前記第２のトランシーバに対して、前記第１のトランシーバに関係付けられている一意的なＩＤを送信することと、
前記Ｏ−シグニチャフェーズの間に送信された一意的なＩＤが、前記ハンドシェークフェーズの間に送信された一意的なＩＤに一致しない場合に、前記第２のトランシーバにおいて、前記Ｏ−シグニチャフェーズを中止することとをさらに含む請求項１記載の方法。
【請求項１２】
通信デバイスにおいて、
プロセッサと、
前記プロセッサと電子通信するメモリと、
前記メモリ中に記憶されている命令とを具備し、
前記命令は、前記通信デバイスに、
複数のハンドシェークメッセージを含む、遠隔トランシーバとのハンドシェークフェーズを開始させ、
前記通信デバイスに関係付けられている一意的な識別子（ＩＤ）を発生させ、
前記ハンドシェークメッセージのうちの１つを使用させて、前記通信デバイスに関係付けられている一意的なＩＤを、前記遠隔トランシーバに対して送信させ、
後続するハンドシェークメッセージを受信させ、
少なくとも１つの前記受信させた後続するハンドシェークメッセージが、前記通信デバイスに関係付けられている一意的なＩＤを含まない場合に、前記ハンドシェークフェーズを中止させるように前記プロセッサによって実行可能である通信デバイス。
【請求項１３】
前記複数のハンドシェークメッセージのうちの少なくとも１つは、Ｇ．９９４．１ハンドシェーク（ｇ．ｈｓ）メッセージを含む請求項１２記載の通信デバイス。
【請求項１４】
前記複数のハンドシェークメッセージのうちの少なくとも１つは、モード要求／能力リストおよび要求（ＭＲ／ＣＬＲ）ｇ．ｈｓメッセージを含む請求項１３記載の通信デバイス。
【請求項１５】
前記複数のハンドシェークメッセージのうちの少なくとも１つは、モード選択／能力リスト（ＭＳ／ＣＬ）ｇ．ｈｓメッセージを含む請求項１３記載の通信デバイス。
【請求項１６】
前記受信させた後続するハンドシェークメッセージは、ＭＳ／ＣＬｇ．ｈｓメッセージを含む請求項１３記載の通信デバイス。
【請求項１７】
前記受信させた後続するハンドシェークメッセージは、肯定応答（ＡＣＫ）ｇ．ｈｓメッセージを含む請求項１３記載の通信デバイス。
【請求項１８】
前記１つのハンドシェークメッセージは、前記一意的なＩＤに対するフィールドを含む請求項１２記載の通信デバイス。
【請求項１９】
前記一意的なＩＤを発生させることは、乱数を発生させることを含む請求項１２記載の通信デバイス。
【請求項２０】
前記命令はさらに、前記プロセッサに、
前記ハンドシェークフェーズが中止されなかった場合に、Ｇ．ベクトル初期化のＯ−シグニチャフェーズに進行させ、
前記Ｏ−シグニチャフェーズの間に、前記一意的なＩＤを、前記遠隔トランシーバに対して送信させ、
前記Ｏ−シグニチャフェーズの間に送信された一意的なＩＤが、前記ハンドシェークフェーズの間に送信された一意的なＩＤに一致しない場合に、前記Ｏ−シグニチャフェーズの前記遠隔トランシーバにおける中止の表示を受信させる請求項１２記載の通信デバイス。
【手続補正２】
【補正対象書類名】明細書
【補正対象項目名】００２５
【補正方法】変更
【補正の内容】
【００２５】
［００２８］
特に本発明の好ましい実施形態を参照して本発明を説明してきたが、発明の精神および範囲から逸脱することなく、形態および詳細において変更および修正をしてもよいことは、当業者にとって容易に明白となるはずである。添付した特許請求の範囲は、このような変更および修正を含むことを意図されている。
以下に、本願出願の当初の特許請求の範囲に記載された発明を付記する。
［１］ＦＥＸＴチャネル上でトレーニングするトランシーバを識別するための方法において、
第１のトランシーバと第２のトランシーバとの間での複数のハンドシェークメッセージを含むハンドシェークフェーズを開始することと、
前記第１のトランシーバにおいて、一意的なＩＤを発生させることと、
前記ハンドシェークメッセージのうちの１つを使用して、前記第１のトランシーバから前記第２のトランシーバに前記一意的なＩＤを送信することと、
前記第１のトランシーバにおいて、後続するハンドシェークメッセージを受信することと、
前記受信した後続するハンドシェークメッセージが前記一意的なＩＤを含まない場合に、前記第１のトランシーバにおいて、前記ハンドシェークフェーズを中止することとを含む方法。
［２］前記複数のハンドシェークメッセージは、Ｇ．９９４．１ｇ．ｈｓメッセージを含む［１］記載の方法。
［３］前記１つのハンドシェークメッセージは、ＭＲ／ＣＬＲｇ．ｈｓメッセージを含む［２］記載の方法。
［４］前記１つのハンドシェークメッセージは、ＭＳ／ＣＬｇ．ｈｓメッセージを含む［２］記載の方法。
［５］前記受信した後続するハンドシェークメッセージは、ＭＳ／ＣＬｇ．ｈｓメッセージを含む［２］記載の方法。
［６］前記受信した後続するハンドシェークメッセージは、ＡＣＫｇ．ｈｓメッセージを含む［２］記載の方法。
［７］前記１つのハンドシェークメッセージは、前記一意的なＩＤに対するフィールドを含む［１］記載の方法。
［８］前記一意的なＩＤは、１６ビット数を含む［１］記載の方法。
［９］前記一意的なＩＤを発生させることは、乱数を発生させることを含む［１］記載の方法。
［１０］前記第２のトランシーバにおいて、第２の一意的なＩＤを発生させることと、
前記ハンドシェークメッセージのうちの別の１つを使用して、前記第２のトランシーバから前記第１のトランシーバに前記第２の一意的なＩＤを送信することと、
前記第２のトランシーバにおいて、後続するハンドシェークメッセージを受信することと、
前記受信した後続するハンドシェークメッセージが前記第２の一意的なＩＤを含まない場合に、前記第２のトランシーバにおいて、前記ハンドシェークフェーズを中止することとをさらに含む［１］記載の方法。
［１１］前記ハンドシェークフェーズが中止されなかった場合に、Ｇ．ベクトル初期化のＯ−シグニチャフェーズに進行することと、
前記Ｏ−シグニチャフェーズの間に、前記第１のトランシーバから前記第２のトランシーバに前記一意的なＩＤを送信することと、
前記ハンドシェークフェーズの間に送信された前記一意的なＩＤに前記一意的なＩＤが一致しない場合に、前記第２のトランシーバにおいて、前記Ｏ−シグニチャフェーズを中止することとをさらに含む［１］記載の方法。